【手続補正書】
【提出日】平成20年7月9日(2008.7.9)
【手続補正１】
【補正対象書類名】明細書
【補正対象項目名】特許請求の範囲
【補正方法】変更
【補正の内容】
【特許請求の範囲】  
【請求項１】  ブローカーの装置、クライアントの端末、並びに商品及び／又はサービスに関する小売商の装置を備え、トークンの交換を実現する取引を管理するシステムであって、
前記クライアントの端末のそれぞれは、第１の領域が第１の財布に対応するトークンを記憶し、第２の領域が第２の財布に対応するトークンを記憶する、前記トークンを記憶する２つの個別の領域を有し、
前記第１の財布は、その有効性が前記ブローカーの装置により直接に保証されるトークンについて確保され、前記第２の財布は、前記小売商の装置により前記クライアントの端末に供給されるトークンについて確保される、
ことを特徴とするシステム。
【請求項２】  前記小売商の装置のそれぞれは、トークンを記憶する２つの異なる領域を有し、
前記小売商の装置のトークンを記憶する第１の領域は、前記小売商の装置の財布に対応し、
前記小売商の装置のトークンを記憶する第２の領域は、前記小売商の装置の保存ファイルに対応し、
前記小売商の装置の前記財布は、その有効性が前記ブローカーの装置により直接に保証される前記トークンについて確保され、前記保存ファイルは、前記クライアントの端末により前記小売商の装置に供給されるトークンについて確保される、
ことを特徴とする請求項１記載のシステム。
【請求項３】  前記クライアントの端末により前記小売商の装置から購入された製品及び／又はサービスの支払いの過程で、前記クライアントの端末は、前記製品及び／又は前記サービスの価格に対応する第１の数Ｐのトークンを前記小売商の装置に送出し、
前記第１の財布が前記第１の数Ｐよりも大きいか、又は前記第１の数に等しい数のトークンを含む場合に、前記第１の数Ｐのトークンは、前記クライアントの端末の第１の財布に対応し、且つその有効性が前記ブローカーの装置により直接に保証される前記トークンのみを含む、前記クライアントの端末のトークンを記憶する第１の領域から発生され、
前記第１の財布が前記第１の数Ｐよりも少ない数Ｘのトークンを含む場合、
クライアントの端末は、前記第１の財布から発生されるＸ個のトークンを送出し、
クライアントの端末は、前記クライアントの端末の第２の財布に対応し、かつ前記小売商の装置により供給される前記トークンのみを含む、前記クライアントの端末のトークンを記憶する第２の領域から発生されるＰ−Ｘ個のトークンを送出し、
前記小売商の装置は、前記保存ファイルに対応する、トークンを記憶する前記クライアントの端末の第２の領域に送出された前記第１の数Ｐのトークンを記憶する、
ことを特徴とする請求項２記載のシステムにおける取引を管理する方法。
【請求項４】  前記小売商が、前記製品及び／又はサービスについて前記クライアントにより前記小売商に支払われた第二の数のトークンを前記クライアントに払い戻しすることを望むとき、当該取引を管理する方法は、
前記小売商の装置の財布に対応する前記小売商の装置の第１の記憶領域から、前記第二の数のトークンを引き出し、
前記クライアントの端末の前記第２の財布のトークンに追加される前記第２のトークンの数が所定の最大値を超えないことを検証し、
前記最大値を超えていないとき、前記クライアントの端末の前記第２の財布に前記第２の数のトークンを記憶し、
前記最大値を超えているとき、当該取引を管理する方法を中断して、他の支払手段により前記クライアントに払い戻しを行うか、或いは、
払い戻しを行うことが可能なように、前記クライアントの端末の第２の財布を空にすることを前記クライアントに要求するメッセージを前記クライアントの端末に送る、
ことを特徴とする請求項３記載の方法。
【請求項５】  前記第２の財布から前記第１の財布にトークンを送るステップを更に備え、
前記クライアントの端末が、前記ブローカーの装置に、前記クライアントの端末の前記第２の財布に含まれている前記トークンを前記第１の財布に送出することを要求するサブステップと、
前記ブローカーの装置が、一方で前記クライアントの装置の前記要求の正当性を検証し、他方で前記第２の財布に含まれている前記トークンの正当性を検証するサブステップと、
前記要求及び前記トークンが有効であるとき、前記ブローカーの装置が、前記トークンを前記第２の財布から前記第１の財布に送るサブステップとを備える、
ことを特徴とする請求項３又は４記載の方法。
【請求項６】  前記クライアントは、前記ブローカーの装置からトークンを購入することを望み、当該取引を管理する方法は、
前記ブローカーの装置が、前記購入されたトークンを前記第１の財布に送出し、
前記第２の財布がトークンを含むとき、前記ブローカーの装置が、前記トークンの正当性を検証し、次いで、前記トークンが有効であるとき、前記ブローカーの装置が、前記第２の財布から前記第１の財布に前記トークンを送出する、
ことを特徴とする請求項３又は４記載の方法。
【請求項７】  前記小売商は、前記小売商の装置の財布の借り方に所定の整数であるＮ個のトークンの値が記入されて、前記小売商の銀行口座の貸し方に前記Ｎ個のトークンの値が記入されることを望み、当該取引を管理する方法は、
前記ブローカーの装置が、前記小売商の装置の前記財布がＮ個よりも大きいか、Ｎ個に等しい数のトークンを含むことを検証し、
検証が実行されたときに、前記保存ファイルが所定の整数であるＭ個のトークンを含み、前記ブローカーの装置が、前記小売商の銀行口座の貸し方に（Ｎ＋Ｍ）個のトークンの値を記入し、前記保存ファイルを空にし、前記小売商の装置の前記財布からＮ個のトークンを除く、
ことを特徴とする請求項３又は４記載の方法。
【請求項８】  前記クライアントが前記クライアントの銀行口座の貸し方に前記第１の財布に含まれる１つのトークンの値が記入されることを望み、前記第２の財布が少なくとも１つの財布を含み、
前記ブローカーの装置が前記第２の財布に含まれる前記トークンの正当性を検証するステップを実行し、正当性が検証されたとき、前記トークンを前記第２の財布から前記第１の財布に送出する、
ことを特徴とする請求項３又は４記載の方法。
【請求項９】  取引を管理するシステムにおけるクライアント端末であって、
前記取引は、ブローカーの装置、製品及び／又はサービスに関する小売商の装置、及び／又はクライアントの端末の間でトークンの交換を実現し、
少なくとも１つの第１の財布と少なくとも１つの第２の財布に対応する、トークンを記憶する２つの異なる領域を備え、
前記第１の財布は、その有効性が前記ブローカーの装置により直接に保証されるトークンについて確保され、前記第２の財布は、前記小売商の装置により前記クライアントの端末に供給されるトークンについて確保される、
ことを特徴とするクライアント端末。
【請求項１０】  取引を管理するシステムにおける小売商の装置であって、
前記取引は、ブローカーの装置、クライアントの端末及び／又は前記小売商の装置の間でトークンの交換を実現し、
前記小売商の装置の財布と前記小売商の装置の保存ファイルである、トークンを記憶する少なくとも２つの個別の領域を備え、
前記小売商の装置の前記財布は、その有効性が前記ブローカーの装置により直接に保証されるトークンについて確保され、前記保存ファイルは、前記クライアントの端末により前記小売商の装置に供給されたトークンについて確保される、
ことを特徴とする小売商装置。